(57)【要約】【課題】鋼材接続レンチを使用しての締緩作業にあっては、締緩始動の段階で、駆動ソケット部内でナットとボルトとが共に回ってしまう。【解決手段】ボルトの頭部に被装される外装体１と、該外装体１に組み付けられたロック手段２とを備える。ロック手段２は、ロック操作子２ａの回動操作に応じて奥行き方向に変位する可動体２ｂと、該可動体２ｂの変位操作に応じて外装体１内の径方向に変位する狭持リング２ｃと、該狭持リング２ｃを抜け止めする抜止リング２ｄとを備える。狭持リング２ｃは、外装体１の取付凹部１ｂ内に相対して組み付けられた一対の狭持アーム２ｃ１  ，２ｃ１  と、該狭持アーム２ｃ１  ，２ｃ１  を拡径する方向に付勢せしめる弾性部材３，３と、該弾性部材３，３の付勢力に抗して前記一対の狭持アーム２ｃ１  ，２ｃ１  を縮径せしめる球体４，４とからなる。【選択図】    図３
2004314265.tif 000002
【特許請求の範囲】
【請求項１】
ボルト若しくはナット類に取り付けされる外装体と、該外装体に組み付けられて前記ボルト若しくはナット類を回動不能状態に保持するロック手段とを備えてなることを特徴とするボルトストッパー。
【請求項２】
前記ロック手段は、外装体に進退自在に装着されたロック操作子と、該ロック操作子の回動操作に応じて変位する可動体と、該可動体の変位操作に応じて径方向へ縮拡自在に変位する狭持リングと、前記外装体に突設されて隣接するボルト若しくはナット類に係止される反力アームとを備えてなることを特徴とする請求項１に記載のボルトストッパー。
【請求項３】
前記狭持リングは、外装体内に形成された取付凹部の中心にロック孔を形成すべく相対して組み付けられた一対の狭持アームと、該狭持アームを拡径する方向に付勢せしめる弾性部材と、該弾性部材の付勢力に抗して前記一対の狭持アームを縮径せしめる球体とを備えてなることを特徴とする請求項２に記載のボルトストッパー。
【発明の詳細な説明】
【０００１】
【発明の属する技術分野】
本発明は、主として橋梁、鉄塔、架設鋼構造物等の作業現場で使用されるボルトの共回りを阻止するボルトストッパーに関し、更に詳しくは、鋼材接続レンチを使用してボルトとナットを締結又は弛緩する際、ボルトとナットが共回りすることなく、簡単かつ円滑に締緩作業が行える有用なボルトストッパーに関する。
【０００２】
【従来の技術】
従来、架設鋼構造物等の作業現場で、ボルトとナットを締緩する際、専用レンチ（鋼材接続用レンチ）が使用されている。斯かるレンチとしては、例えば、駆動ソケット部で回転駆動される駆動ナット部と、該駆動ナット部に対し相対回転自在で、かつ、前記レンチの反力ソケットで回転を阻止される反力受けナット部と、該反力受けナット部に回転自在に組み付けられた連結スリーブ部とを備え、回転駆動する駆動ソケット部内にナットを整合して締結している（例えば、特許文献１参照）。
【特許文献１】
特開平１０−１２８６２８号公報
【０００３】
【発明が解決しようとする課題】
しかしながら、上述した従来の鋼材接続レンチを使用しての締緩作業にあっては、締緩始動の段階で、駆動ソケット部内でナットとボルトとが共に回ってしまうため、うまく締緩することができないといった問題がある。
【０００４】
本発明はこのような従来の問題点に鑑みてなされたもので、ボルトとナットが共回りすることなく、簡単かつ円滑に締緩作業を行うことができる有用なボルトストッパーの提供を目的としたものである。
【０００５】
【課題を解決するための手段】
上述の如き従来の問題点を解決し、所期の目的を達成するため本発明の要旨とする構成は、ボルト若しくはナット類に取り付けされる外装体と、該外装体に組み付けられて前記ボルト若しくはナット類を回動不能状態に保持するロック手段を備えてなるボルトストッパーに存し、延いては、前記ロック手段は、外装体に進退自在に装着されたロック操作子と、該ロック操作子の回動操作に応じて変位する可動体と、該可動体の変位操作に応じて径方向に縮拡自在に変位する狭持リングと、前記外装体に突設されて隣接するボルト若しくはナット類に係止される反力アームとを備えてなるボルトストッパーに存する。
【０００６】
また、前記狭持リングは、外装体内に形成された取付凹部の中心にロック孔を形成すべく相対して組み付けられた一対の狭持アームと、該狭持アームを拡径する方向に付勢せしめる弾性部材と、該弾性部材の付勢力に抗して前記一対の狭持アームを縮径せしめる球体とを備えるのが良い。
【０００７】
このように構成される本発明のボルトストッパーは、ボルト若しくはナット類に取り付けされる外装体と、該外装体に組み付けられて前記ボルト若しくはナット類を回動不能状態に保持するロック手段とを備えること、延いては、前記ロック手段は、外装体に進退自在に装着されたロック操作子と、該ロック操作子の回動操作に応じて変位する可動体と、該可動体の変位操作に応じて径方向に縮拡自在に変位する狭持リングと、前記外装体に突設されて隣接するボルト若しくはナット類に係止される反力アームとを備えてなることによって、前記外装体をボルト若しくはナット類に被嵌して前記ロック操作子を回動するだけで、狭持リングが縮径してボルト若しくはナット類の外周を回動不能状態に狭持し得ることとなる。
【０００８】
また、前記狭持リングが、外装体内に形成された取付凹部の中心にロック孔を形成すべく相対して組み付けられた一対の狭持アームと、該狭持アームを拡径する方向に付勢せしめる弾性部材と、該弾性部材の付勢力に抗して前記一対の狭持アームを縮径せしめる球体とを備えることによって、前記外装体をボルト若しくはナット類に被嵌して前記ロック操作子を回動すれば、同ロック操作子の回動に連動してボルト類が一対の狭持アームにロックされた状態で締結ランナーが回転駆動されるため、同ボルト類は締結ランナーの回転とは反回転方向に力が働き、ナット類との共回りを阻止し得ることとなる。
【０００９】
【発明の実施の形態】
次に、本発明の実施の一例を図面を参照しながら説明する。図中Ａは、本発明に係るルトストッパーであり、このボルトストッパーＡは、図１乃至図２に示すように、ボルトＢ（図６参照）の頭部に被装される外装体１と、該外装体１に組み付けられたロック手段２とを備えている。
【００１０】
前記外装体１は、鋼鉄等の適宜材料から蓋状に成形されており、外周面に反力アーム１ａを突設してなると共に、内周面に環状の取付凹部１ｂを介してロック手段２を備えている。
【００１１】
ロック手段２は、図３に示すように、外装体１の頂面に突設されたロック操作子２ａと、該ロック操作子２ａの回動操作に応じて奥行き方向（上下方向）に変位する可動体２ｂと、該可動体２ｂの変位操作に応じて外装体１内の径方向（左右方向）に変位する狭持リング２ｃと、該狭持リング２ｃを抜け止めする抜止リング２ｄとを備えてなるものである。
【００１２】
ロック操作子２ａは、例えば、六角ボルトからなり、外装体１の頂面に形成された螺旋孔１ｃに進退自在に螺合させ、ネジ部２ａ２  側が同外装体１内へ貫通する度合い（長さ）に応じて可動体２ｂへの押圧力を強めることができる。
【００１３】
可動体２ｂは、金属板等の適宜材料からなり、ロック操作子２ａに押圧されて後述する球体４，４を均等の力で押込操作するものである。
【００１４】
また、狭持リング２ｃは、外装体１に形成された取付凹部１ｂ（図２参照）内に相対して組み付けられた一対の狭持アーム２ｃ１  ，２ｃ１  からなるものであり、外周縁に向けて傾斜するスロープ溝２ｃ２  ，２ｃ２  と、丸型のボルトでも狭持できるように内周面に刻設された滑止溝２ｃ４  とを備えている。
【００１５】
狭持アーム２ｃ１  ，２ｃ１  は、半円弧状を呈しており、相対することで取付凹部１ｂの中心に環状のロック孔１ｄ（図２参照）を形成するものであり、ロック操作子２ａの回動操作に連動して径方向へ変位すべく組み付けられている。因に、ロック孔１ｄは、角型・丸型のボルトでも狭持できるように菱形にしてある。
【００１６】
スロープ溝２ｃ２  ，２ｃ２  は、図５に示すように、後述する球体４，４を変位自在に位置決めするものであり、可動体２ｂが所定位置の場合は、狭持アーム２ｃ１  ，２ｃ１  を最大状態に拡径（離間）し（図５（ａ）参照）、可動体２ｂがロック操作子２ａで押し込まれることで、同狭持アーム２ｃ１  ，２ｃ１  を最少状態に縮径（近接）すべく球体４，４を押込ガイドするのである（図５（ｂ）参照）。
【００１７】
また、ロック手段２は、狭持アーム２ｃ１  ，２ｃ１  を拡径する方向に付勢せしめる弾性部材３，３と、該弾性部材３，３の付勢力に抗して前記一対の狭持アーム２ｃ１  ，２ｃ１  を縮径せしめる球体４，４とを備えている。
【００１８】
弾性部材３，３は、コイルスプリング、板バネ、Ｕ字バネ等の適宜素材からなり、相対向する両狭持アーム２ｃ１  ，２ｃ１  の遊端２ｃ３  ，２ｃ３  間に介在することにより、取付凹部１ｂの内周面に沿って同狭持アーム２ｃ１  ，２ｃ１  を最大限に拡径すべく付勢せしめている。
【００１９】
このように構成される本発明に係るボルトストッパーＡは、図６に示すように、外装体１をボルトＢに被嵌して前記ロック操作子２ａを回動するだけで、狭持リング２ｃの両狭持アーム２ｃ１  ，２ｃ１  が縮径してボルトＢの外周を回動不能状態に狭持できるのである。
【００２０】
従って、鋼材Ｃの反対側に貫通してボルトＢの先端側に螺合してあるナット５に締結ランナー（図示せず）を嵌装し、次いで、斯かる締結ランナーを専用レンチ（図示せず）の駆動ソケット部（図示せず）に挿着して同レンチの制御スイッチ（図示せず）を押し込むことにより、締結ランナーの回転駆動と共にナット５が回動するが、その際、ボルトＢ側が狭持アーム２ｃ１  ，２ｃ１  間に狭持され、かつ、反力レバー１ａが隣接するボルトＢに係止された状態で、締結ランナーが回転駆動されるため、ボルトＢの共回りを確実に阻止することができ、誰にでも簡単かつ円滑にボルトＢの締結作業ができるものである。因に、必要以上の締結動作を防止するため、レンチの駆動ソケットに必要以上の力が加わった場合は、空転するようにしてあることは云うまでもない。
【００２１】
尚、本発明に係るボルトストッパーＡは、本実施例に限定されることなく、本発明の目的の範囲内で自由に設計変更し得るものであり、本発明はそれらの全てを包摂するものである。
【００２２】
例えば、本実施例では、ボルトＢとして丸型ボルトを使用しているが、これに限定されることなく、角型のボルトにも使用できるものであり、また、ナット５に被装して同ナットの締結ロックに使用できることは云うまでもない。
【００２３】
【発明の効果】
本発明は上述のように構成され、ボルト若しくはナット類に取り付けされる外装体と、該外装体に組み付けられて前記ボルト若しくはナット類を回動不能状態に保持するロック手段とを備えてなること、延いては、前記ロック手段が、外装体に進退自在に装着されたロック操作子と、該ロック操作子の回動操作に応じて変位する可動体と、該可動体の変位操作に応じて径方向に縮拡自在に変位する狭持リングと、前記外装体に突設されて隣接するボルト若しくはナット類に係止される反力アームとを備えてなることによって、前記外装体をボルト若しくはナット類に被嵌して前記ロック操作子を回動するだけで、簡単に狭持リングが縮径してボルト若しくはナット類の外周を回動不能状態に狭持することができるといった効果を奏するものである。
【００２４】
また、前記狭持リングが、外装体内に形成された取付凹部の中心にロック孔を形成すべく相対して組み付けられた一対の狭持アームと、該狭持アームを拡径する方向に付勢せしめる弾性部材と、該弾性部材の付勢力に抗して前記一対の狭持アームを縮径せしめる球体とを備えることによって、前記外装体をボルト若しくはナット類に被嵌して前記ロック操作子を回動するだけの簡単操作で、球体が可動体に押圧されて変位し一対の狭持アームでボルトを堅固に狭持できるため、締結ランナーで回転駆動されても、ナット類との共回りが阻止れ、円滑かつ能率的に締緩作業が行えるといった効果を奏するものである。
【００２５】
このように本発明に係るボルトストッパーは、締緩操作の始動より共回りすることなく頗る簡単にボルトとナット類を締緩できるため、一連の締緩作業の効率を高めることができ、また、構成が単純であるため大量生産に適し、価格も低廉なものとして需要者に提供できるなど、本発明を実施することはその実益的価値が甚だ大である。
【図面の簡単な説明】
【図１】は本発明に係るボルトストッパーの外側を示す斜視図である。
【図２】同ボルトストッパーの内側を示す斜視図である。
【図３】同ボルトストッパーの組立分解斜視図である。
【図４】図４（ａ）は本実施例で使用するロック手段の要部表面を示す斜視図、図４（ｂ）は同ロック手段の要部裏面を示す斜視図である。
【図５】図５（ａ）は同ボルトストッパーをボルトに嵌挿させた状態を示す説明図、図５（ｂ）はボルトをロックした状態を示す説明図である。
【図６】図６（ａ）は同ボルトストッパーの使用状態を示す縦断面図、図６（ｂ）は同ボルトストッパーの使用状態を示す正面図である。
【符号の説明】
Ａ  ボルトストッパー
Ｂ  ボルト
Ｃ  鋼板
１  外装体
１ａ  反力アーム
１ｂ    取付凹部
１ｃ  螺旋孔
１ｄ  ロック孔
２  ロック手段
２ａ  ロック操作子
２ａ１  頭部
２ａ２  ネジ部
２ｂ  可動体
２ｃ  狭持リング
２ｃ１  狭持アーム
２ｃ２  スロープ溝
２ｃ３  遊端
２ｃ４  滑止溝
２ｄ  抜止リング
３    弾性部材
４  球体
５  ナット
【図１】
2004314265.tif 000003
【図２】
2004314265.tif 000004
【図３】
2004314265.tif 000005
【図４】
2004314265.tif 000006
【図５】
2004314265.tif 000007
【図６】
2004314265.tif 000008